(57)【要約】【課題】メンテナンスや部品交換等のために分解する際に、容易に分解することができるようにして、分解の際の作業性の向上を図ることができる表示装置を提供する。【解決手段】表示装置は、外装カバー枠１０２と、外装カバー枠１０２に取り付けられる外装カバー１０５と、外装カバー枠１０２と外装カバー１０５との間に配置される表示部１０３と、該表示部１０３を保持した状態で外装カバー枠１０２に係脱自在に係合する保持枠２０２と、を備える。【選択図】図９
2011135195.tif 000002
【特許請求の範囲】
【請求項１】
第１の外装カバー部材と、
該第１の外装カバー部材に取り付けられる第２の外装カバー部材と、
前記第１の外装カバー部材と前記第２の外装カバー部材との間に配置される表示部と、
該表示部を保持した状態で前記第１の外装カバー部材に係脱自在に係合する保持部材と、を備えることを特徴とする表示装置。
【請求項２】
前記保持部材及び前記第１の外装カバー部材のいずれか一方の部材の互いに対向する各辺部にそれぞれ突起を設けるとともに、他方の部材に前記各辺部に設けた前記突起が係脱自在に係合する係合部を設けたことを特徴とする請求項１に記載の表示装置。
【請求項３】
前記一方の部材の前記各辺部に設けた前記突起が前記他方の部材に設けた前記係合部に係合した状態で、前記保持部材を前記第１の外装カバー部材に対して位置決めする位置決め手段を備えることを特徴とする請求項２に記載の表示装置。
【請求項４】
前記位置決め手段は、前記各辺部に設けた前記突起が前記係合部に係合する方向に前記保持部材を付勢する付勢手段であることを特徴とする請求項３に記載の表示装置。
【請求項５】
前記各辺部の一方の辺部に設けた前記突起の長さと他方の辺部に設けた前記突起の長さとが異なることを特徴とする請求項２乃至４のいずれか一項に記載の表示装置。
【発明の詳細な説明】
【技術分野】
【０００１】
本発明は、例えばデジタルカメラ等の電子機器に搭載される表示装置に関する。
【背景技術】
【０００２】
表側の外装カバーと裏側の外装カバーとの間に、液晶パネル及びプリント基板を配置するビデオカメラの表示装置が提案されている（特許文献１）。
【０００３】
図１０及び図１１に、従来のこの種の表示装置を示す。この表示装置は、図１０に示すように、表側の外装カバー１００２と裏側の外装カバー１００３との間に、液晶パネル等の表示部１００１、表示部１００１を照射するバックライト１００４、表示部１００１の表示制御を行うプリント基板１００５等が配置される。
【０００４】
ところで、外装カバー１００２と外装カバー１００３とは、ねじ１００６等により締結されて固定されるが、表示装置の小型化の要請から、表示装置の長手方向にはねじ１００６を配置するスペースがなく、短手方向にねじ１００６の配置スペースを確保している。
【０００５】
しかし、表示装置の短手方向をねじ１００６により固定しただけでは、外装カバー１００２，１００３は、カバー単体での反りやねじ１００６の締め付け時の変形により、ねじ止めされていない長手方向の中央部が浮いてすき間が発生するおそれがある。
【０００６】
このため、図１１に示すように、外装カバー１００３の長手方向の辺部に係合爪１１０１を設けるとともに、外装カバー１００２の長手方向の辺部の係合爪１１０１に対応する位置に係合部１１０２を設けている。そして、外装カバー１００２，１００３を上下に撓ませて、係合爪１１０１を係合部１１０２に係合することにより、ねじ止めされていない長手方向の中央部にすき間が発生しないようにしている。
【先行技術文献】
【特許文献】
【０００７】
【特許文献１】特開２００８−２７０９９２号公報
【発明の概要】
【発明が解決しようとする課題】
【０００８】
しかし、図１０及び図１１の表示装置では、メンテナンスや部品交換等のために分解する際に、外装カバーを撓ませて係合爪と係合部との係合を解除した後、再度外装カバーを撓ませて係合爪を係合部に係合する必要があるため、作業負荷が大きい。
【０００９】
そこで、本発明は、容易に分解することができるようにして、分解の際の作業性の向上を図ることができる表示装置を提供することを目的とする。
【課題を解決するための手段】
【００１０】
上記目的を達成するために、本発明の表示装置は、第１の外装カバー部材と、該第１の外装カバー部材に取り付けられる第２の外装カバー部材と、前記第１の外装カバー部材と前記第２の外装カバー部材との間に配置される表示部と、該表示部を保持した状態で前記第１の外装カバー部材に係脱自在に係合する保持部材と、を備えることを特徴とする。
【発明の効果】
【００１１】
本発明によれば、表示装置をメンテナンスや部品交換等のために分解する際に、容易に分解することができるので、分解の際の作業性の向上を図ることができる。
【図面の簡単な説明】
【００１２】
【図１】本発明の実施形態の一例に係る表示装置が搭載されたデジタルビデオカメラを示す斜視図である。
【図２】表示装置の分解斜視図である。
【図３】保持枠の斜視図である。
【図４】外装カバー枠の斜視図である。
【図５】金属フレーム枠の斜視図である。
【図６】表示部、金属フレーム枠及び保持枠を外装カバー枠に組み込んだ状態を示す図である。
【図７】保持枠の係合突起と外装カバー枠の係合部との係合部分を断面表示した斜視図である。
【図８】保持枠を外装カバー枠に組み付けた後における保持枠の係合突起と外装カバー枠の係合部との係合部分を断面表示した斜視図である。
【図９】表示装置を組み付けた後における保持枠の係合突起と外装カバー枠の係合部との係合部分を断面表示した斜視図である。
【図１０】従来の表示装置を説明するための分解斜視図である。
【図１１】裏面側の外装カバーの係合爪と表面側の外装カバーの係合部との係合部分を断面表示した斜視図である。
【発明を実施するための形態】
【００１３】
以下、本発明の実施形態の一例を図面を参照して説明する。
【００１４】
図１は本発明の実施形態の一例に係る表示装置が搭載されたデジタルビデオカメラを示す斜視図である。
【００１５】
図１に示すように、本実施形態の表示装置１００は、デジタルビデオカメラのカメラ本体１０１の側面に対して開閉可能、かつ開状態で回転可能に支持されている。表示装置１００は、外装カバー枠１０２、外装カバー枠１０２の枠内に配置される液晶パネル等の表示部１０３、及び表示部１０３の背面側を覆う外装カバー１０５等を備え、閉状態で表示部１０３がカメラ本体１０１の側面に対向配置される。表示部１０３の表面の略全域には、タッチパネル１０４が配置されている。
【００１６】
図２は、表示装置１００の分解斜視図である。図２に示すように、外装カバー枠１０２と表示部１０３との間には、金属フレーム枠２０１が配置されている。また、表示部１０３と外装カバー１０５との間には、表示部１０３を保持する樹脂製の保持枠２０２、表示部１０３に背面側から光を照射するバックライト２０３、及びプリント基板２０４が配置されている。
【００１７】
プリント基板２０４は、タッチパネル１０４を含む表示部１０３やバックライト２０３等を制御するための基板である。プリント基板２０４には、ユーザ操作によりタッチパネル１０４を介して入力された指示情報に基づく制御、撮影された映像を表示部１０３に表示する制御、バックライト２０３の点灯制御等を行うための回路が搭載されている。
【００１８】
そして、外装カバー枠１０２と外装カバー１０５との間に、金属フレーム枠２０１、表示部１０３、保持枠２０２、バックライト２０３及びプリント基板２０４を配置する。この状態で、外装カバー枠１０２と外装カバー１０５とを短手方向に配置されたねじ２０５等で締結する。ここで、外装カバー枠１０２は本発明の第１の外装カバー部材の一例に相当し、外装カバー１０５は本発明の第２の外装カバー部材の一例に相当し、保持枠２０２は本発明の保持部材の一例に相当する。
【００１９】
図３は保持枠２０２の斜視図、図４は外装カバー枠１０２の斜視図である。
【００２０】
図３に示すように、保持枠２０２の短手方向に互いに対向する各辺部のうちの一方の辺部には、２つの係合突起３０１が長手方向に互いに離間して配置され、他方の辺部には、２つの係合突起３０３が長手方向に互いに離間して配置されている。係合突起３０１，３０２は、それぞれ外装カバー枠１０２を保持するためのものである。
【００２１】
図４に示すように、外装カバー枠１０２の短手方向に互いに対向する各辺部のうちの一方の辺部には、２つの係合部４０１が長手方向に互いに離間して配置され、他方の辺部には、２つの係合部４０３が長手方向に互いに離間して配置されている。係合部４０１，４０３は、穴状に形成されて、それぞれ保持枠２０２の係合突起３０１，３０３に対応する部位に配置されている。
【００２２】
そして、外装カバー枠１０２の係合部４０１，４０３には、保持枠２０２の係合突起３０１，３０３が係脱自在に挿入され、かかる挿入状態においては、保持枠２０２は外装カバー枠１０２に対して短手方向に移動可能とされている。
【００２３】
ここで、表示部１０３は、ガラス板材の貼り合わせにより形成された液晶パネル等で構成されているため、比較的剛性が高く、ソリや変形が非常に少ない。このため、表示部１０３を保持枠２０２に組み込むことにより、該保持枠２０２の単品でのそりを矯正することができる。また、表示部１０３が組み込まれた保持枠２０２を外装カバー枠１０２に組み込むことにより、外装カバー枠１０２の単品でのそりを矯正することができる。
【００２４】
図５は、金属フレーム枠２０１の斜視図である。金属フレーム枠２０１は、バックライト２０３とアース接続され、図５に示すように、長手方向の辺部には、短手方向内側に屈曲する板状のばね５０１が設けられている。ばね５０１は、保持枠２０２の２つの係合突起３０３の間に形成された凹部２０２ａを押圧して保持枠２０２を２つの係合突起３０１側に付勢する。これにより、保持枠２０２に保持された表示部１０３のガタつきを防止することができる。
【００２５】
図６は、表示部１０３、金属フレーム枠２０１及び保持枠２０２を、外装カバー枠１０２に組み込んだ状態を示す図である。図７（ａ）は保持枠２０２の係合突起３０３と外装カバー枠１０２の係合部４０３との係合部分を断面表示した斜視図、図７（ｂ）は保持枠２０２の係合突起３０１と外装カバー枠１０２の係合部４０１との係合部分を断面表示した斜視図である。
【００２６】
保持枠２０２を外装カバー枠１０２に組み込む際には、まず、図７（ａ）に示すように、保持枠２０２の係合突起３０３を外装カバー枠１０２の係合部４０３に挿入する。このとき、保持枠２０２の凹部２０２ａにより金属フレーム枠２０１のばね５０１を該ばね５０１の付勢力に抗して押し込んで、保持枠２０２を係合突起３０１の反対方向に移動させる。これにより、保持枠２０２の係合突起３０１は、図７（ｂ）に示すように、外装カバー枠１０２の係合部４０１から離脱した位置に配置される。
【００２７】
この状態で、保持枠２０２の凹部２０２ａによるばね５０１の押し込みを解除すると、ばね５０１の付勢力により保持枠２０２が係合突起３０１側に移動し、該係合突起３０１が外装カバー枠１０２の係合部４０１に係合する。これにより、図８（ａ）及び図８（ｂ）に示すように、保持枠２０２の係合突起３０１，３０３が外装カバー枠１０２の係合部４０１，４０３に係合した状態で保持枠２０２が位置決めされ、保持枠２０２が外装カバー枠１０２に組み込まれる。
【００２８】
ここで、本実施形態では、図８（ａ）及び図８（ｂ）に示すように、保持枠２０２の係合突起３０１の長さαを係合突起３０３の長さβより短くしている（α＜β）。これにより、係合突起３０１，３０３と係合部４０１，４０３との確実な係合を可能にしつつ、表示装置１００の短手方向の寸法を短くして表示装置１００の小型化を実現することができる。
【００２９】
以上説明したように、本実施形態では、比較的剛性が高い表示部１０３が組み込まれた保持枠２０２を外装カバー枠１０２に組み込むことにより、外装カバー枠１０２の単品でのそりを矯正することができる。これにより、外装カバー枠１０２及び外装カバー１０５の長手方向の辺部に従来のような係合爪と係合部との係合構造を設けなくて済み、ねじ２０５を取り外した後に、外装カバー枠１０２と外装カバー１０５とを図９の矢印方向に容易に分解することができる。
【００３０】
また、表示部１０３を保持する保持枠２０２と外装カバー枠１０２との係合の解除及び再係合についても、保持枠２０２を短手方向に沿って移動させるだけで容易に行うことができる。
【００３１】
この結果、表示装置１００をメンテナンスや部品交換等のために分解する際に、容易に分解することができ、分解の際の作業性の向上を図ることができる。
【００３２】
なお、本発明の構成は、上記実施形態に例示したものに限定されるものではなく、材質、形状、寸法、形態、数、配置箇所等は、本発明の要旨を逸脱しない範囲において適宜変更可能である。
【００３３】
例えば、上記実施形態では、保持枠２０２に係合突起３０１，３０３を設け、外装カバー枠１０２に穴状の係合部４０１，４０３を設けた場合を例示したが、保持枠２０２に穴状の係合部を設け、外装カバー枠１０２に係合突起を設けるようにしてもよい。
【符号の説明】
【００３４】
１０１    カメラ本体
１０２    外装カバー枠
１０３    表示部
１０５    外装カバー
２０１    金属フレーム枠
２０２    保持枠
３０１，３０３  係合突起
４０１，４０３  係合部
５０１    ばね
【図１】
2011135195.tif 000003
【図２】
2011135195.tif 000004
【図３】
2011135195.tif 000005
【図４】
2011135195.tif 000006
【図５】
2011135195.tif 000007
【図６】
2011135195.tif 000008
【図７】
2011135195.tif 000009
【図８】
2011135195.tif 000010
【図９】
2011135195.tif 000011
【図１０】
2011135195.tif 000012
【図１１】
2011135195.tif 000013